(57)【要約】【課題】透湿部材の透湿能力が部分的に劣化した場合でも、調和空気の吹き出し温度を制御できるようにする。【解決手段】透湿部材（33）よりも下流側で且つ透湿部材（33）の表面に沿って複数の検出センサ（50）が配設される。制御部（16）では、複数の検出センサ（50）でそれぞれ検出された検出値から平均検出値が算出される。そして、この平均検出値に基づいて室内熱交換器（23）の熱交換能力が制御される。【選択図】図１
2013194946.tif 000002
【特許請求の範囲】
【請求項１】
内部に空気通路（12）が形成されたケーシング（11）と、冷媒を循環させて冷凍サイクルを行う冷媒回路（20）に接続されて該空気通路（12）を流れる空気と熱交換する室内熱交換器（23）と、該室内熱交換器（23）よりも下流側に配置されて該空気通路（12）を流れる空気を加湿する加湿器（30）と、該室内熱交換器（23）の熱交換能力を制御する制御部（16）とを備えた空気調和装置であって、
前記加湿器（30）は、透湿性材料で構成された透湿膜（32）を有し且つ空気の流通が可能な加湿通路（37）が設けられた透湿部材（33）と、該透湿部材（33）に対して水を供給する給水手段（40）とを備え、該給水手段（40）で供給された水が該透湿部材（33）の該透湿膜（32）を透過して該加湿通路（37）内で蒸発することで、該加湿通路（37）を流通する空気を加湿するように構成され、
前記透湿部材（33）よりも下流側には、該透湿部材（33）を通過した空気の温度又は湿度を検出する検出センサ（50）が、該透湿部材（33）の表面に沿って複数配設され、
前記制御部（16）は、前記複数の検出センサ（50）でそれぞれ検出された検出値の平均検出値を算出し、該平均検出値に基づいて、前記室内熱交換器（23）の熱交換能力を制御するように構成されていることを特徴とする空気調和装置。
【請求項２】
請求項１において、
ユーザーに対して所定の報知動作を行う報知手段（55）を備え、
前記制御部（16）は、前記複数の検出センサ（50）でそれぞれ検出された検出値のうち、最も高い検出値と最も低い検出値とを比較してその差分値を算出し、該差分値が所定の基準値よりも大きい場合に、前記透湿部材（33）の透湿能力が劣化していると判定して、該透湿能力の劣化を示す異常信号を出力するように構成され、
前記報知手段（55）は、前記制御部（16）から前記異常信号が出力された場合に前記報知動作を行うように構成されていることを特徴とする空気調和装置。
【発明の詳細な説明】
【技術分野】
【０００１】
本発明は、空気調和装置に関するものである。
【背景技術】
【０００２】
従来より、ケーシング内の空気通路に、送風ファンと、空気と熱交換して加熱又は冷却する熱交換器と、空気を加湿する加湿器とを備えた空気調和装置が知られている（例えば、特許文献１参照）。
【０００３】
この空気調和装置において、暖房運転時には、送風ファンによってケーシング内へ導入された空気は、熱交換器を通過する際に加熱される。そして、熱交換器を通過した後の空気は、加湿器へ流入する。この加湿器は、多孔質部材で構成された透湿膜を備えている。多孔質部材には、水分が保持されており、加湿器へ流れて多孔質部材を通過する空気は、多孔質部材中の水分を蒸発させるとともに、水分が付与されて加湿される。このように、熱交換器と加湿器とによって、加熱及び加湿された空気は、送風ファンによって室内空間へ供給される。
【０００４】
ここで、空気の吹き出し温度は、加湿器の下流側に設けられた温度又は湿度を検出する検出センサの検出値に基づいて制御される。具体的に、検出センサにおいて高い温度値又は低い湿度値が検出された場合には、加湿器の加湿能力が低下していると判断して、冷媒回路の膨張弁の開度を小さくしたり、圧縮機の運転周波数を低くする。これにより、冷媒循環量を少なくして、熱交換器の熱交換能力を低下させる制御を行う。
【０００５】
つまり、検出センサで高い温度値が検出された場合には、加湿器の加湿能力が低下しているために、多孔質部材を通過した空気が気化熱によって十分に冷却されていないと判断している。また、検出センサで低い湿度値が検出された場合には、加湿器の加湿能力が低下しているために、多孔質部材を通過した空気に水分が十分に付与されていないと判断している。
【先行技術文献】
【特許文献】
【０００６】
【特許文献１】特開２００９−２３６４１５号公報
【発明の概要】
【発明が解決しようとする課題】
【０００７】
ところで、従来の空気調和装置では、加湿器における多孔質部材中の水分の蒸発に伴い、この水分中の硬質成分が濃縮された残留物であるスケールが発生して、多孔質部材の加湿能力を低下させてしまうという問題があった。特に、多孔質部材の下部側から水を吸い上げて透過させる構成では、多孔質部材の下部側に比べて上部側にスケールが多く発生してしまう。そのため、例えば、多孔質部材の上部寄りの位置にのみ検出センサを配設した場合には、加湿器を通過した後で室内ダクト内で混ぜ合わされる調和空気の実際の温度又は湿度とは異なる温度値又は湿度値が検出されてしまう。
【０００８】
つまり、加湿器全体としては加湿能力を十分に確保できているにもかかわらず、上部寄りの位置に配設した検出センサの検出値に基づいて加湿器の加湿能力が低下していると判断され、これに伴って熱交換器の熱交換能力を低下させる制御が行われてしまう。これにより、調和空気の温度が加湿器の気化熱によって設定温度よりも低くなってしまい、吹き出し温度を制御できなくなるという問題があった。
【０００９】
本発明は、かかる点に鑑みてなされたものであり、その目的は、透湿部材の透湿能力が部分的に劣化した場合でも、調和空気の吹き出し温度を制御できるようにすることにある。
【課題を解決するための手段】
【００１０】
本発明は、内部に空気通路（12）が形成されたケーシング（11）と、冷媒を循環させて冷凍サイクルを行う冷媒回路（20）に接続されて該空気通路（12）を流れる空気と熱交換する室内熱交換器（23）と、該室内熱交換器（23）よりも下流側に配置されて該空気通路（12）を流れる空気を加湿する加湿器（30）と、該室内熱交換器（23）の熱交換能力を制御する制御部（16）とを備えた空気調和装置を対象とし、次のような解決手段を講じた。
【００１１】
すなわち、第１の発明は、前記加湿器（30）は、透湿性材料で構成された透湿膜（32）を有し且つ空気の流通が可能な加湿通路（37）が設けられた透湿部材（33）と、該透湿部材（33）に対して水を供給する給水手段（40）とを備え、該給水手段（40）で供給された水が該透湿部材（33）の該透湿膜（32）を透過して該加湿通路（37）内で蒸発することで、該加湿通路（37）を流通する空気を加湿するように構成され、
前記透湿部材（33）よりも下流側には、該透湿部材（33）を通過した空気の温度又は湿度を検出する検出センサ（50）が、該透湿部材（33）の表面に沿って複数配設され、
前記制御部（16）は、前記複数の検出センサ（50）でそれぞれ検出された検出値の平均検出値を算出し、該平均検出値に基づいて、前記室内熱交換器（23）の熱交換能力を制御するように構成されていることを特徴とするものである。
【００１２】
第１の発明では、透湿部材（33）よりも下流側で且つ透湿部材（33）の表面に沿って複数の検出センサ（50）が配設される。制御部（16）では、複数の検出センサ（50）でそれぞれ検出された検出値から平均検出値が算出される。そして、この平均検出値に基づいて室内熱交換器（23）の熱交換能力が制御される。
【００１３】
このような構成とすれば、透湿部材（33）の透湿能力が部分的に劣化した場合でも、調和空気の吹き出し温度を制御することができる。具体的に、透湿部材（33）の下部側から給水して水を吸い上げて透過させると、水分中の硬質成分が濃縮された残留物であるスケールが透湿部材（33）の下部側に比べて上部側に多く発生してしまう。そのため、例えば、透湿部材（33）の上部寄りの位置にのみ検出センサ（50）を配置した場合には、加湿器（30）を通過した後で室内ダクト内で混ぜ合わされる調和空気の実際の温度又は湿度とは異なる温度値又は湿度値が検出されてしまう。
【００１４】
つまり、加湿器（30）全体としては加湿能力を十分に確保できているにもかかわらず、加湿器（30）の加湿能力が低下していると判断され、これに伴って室内熱交換器（23）の熱交換能力を低下させる制御が行われてしまう。これにより、調和空気の温度が加湿器（30）の気化熱によって設定温度よりも低くなってしまい、調和空気の吹き出し温度を制御できなくなるという問題があった。
【００１５】
これに対し、本発明では、透湿部材（33）よりも下流側で且つ透湿部材（33）の表面に沿って複数の検出センサ（50）を配設するようにしたから、複数の検出センサ（50）でそれぞれ検出された検出値から平均検出値を算出して、この平均検出値に基づいて室内熱交換器（23）の熱交換能力を制御することができる。これにより、透湿部材（33）の透湿能力が部分的に劣化した場合でも、調和空気の吹き出し温度が設定温度となるように制御することができる。
【００１６】
第２の発明は、第１の発明において、
ユーザーに対して所定の報知動作を行う報知手段（55）を備え、
前記制御部（16）は、前記複数の検出センサ（50）でそれぞれ検出された検出値のうち、最も高い検出値と最も低い検出値とを比較してその差分値を算出し、該差分値が所定の基準値よりも大きい場合に、前記透湿部材（33）の透湿能力が劣化していると判定して、該透湿能力の劣化を示す異常信号を出力するように構成され、
前記報知手段（55）は、前記制御部（16）から前記異常信号が出力された場合に前記報知動作を行うように構成されていることを特徴とするものである。
【００１７】
第２の発明では、制御部（16）において、前記複数の検出センサ（50）でそれぞれ検出された検出値のうち、最も高い検出値と最も低い検出値とが比較されてその差分値が算出される。そして、差分値が所定の基準値よりも大きい場合には、透湿部材（33）の透湿能力が劣化していると判定され、透湿能力の劣化を示す異常信号が出力される。異常信号が出力されると、報知手段（55）によってユーザーに対して報知動作が行われる。
【００１８】
このような構成とすれば、複数の検出センサ（50）でそれぞれ検出された検出値のばらつきが大きくなった場合に、透湿部材（33）の透湿能力が劣化していることをユーザーに報知することができる。これにより、ユーザーは、透湿部材（33）の交換時期を適切に把握することができ、メンテナンス作業を行いやすくなる。
【００１９】
ここで、報知手段（55）は、例えば、アラーム、シグナル、モニタ等で構成することができる。そして、透湿部材（33）の透湿能力が劣化していると判定されると、アラームを鳴らしたり、シグナルを点灯させたり、透湿能力が劣化したことを示すメッセージをモニタに表示することにより、ユーザーに対して報知される。
【発明の効果】
【００２０】
本発明によれば、透湿部材（33）よりも下流側で且つ透湿部材（33）の表面に沿って複数の検出センサ（50）を配設するようにしたから、複数の検出センサ（50）でそれぞれ検出された検出値から平均検出値を算出して、この平均検出値に基づいて室内熱交換器（23）の熱交換能力を制御することができる。これにより、透湿部材（33）の透湿能力が部分的に劣化した場合でも、調和空気の吹き出し温度が設定温度となるように制御することができる。
【図面の簡単な説明】
【００２１】
【図１】本発明の実施形態に係る空気調和装置の全体構成を示す側面図である。
【図２】冷媒回路の全体構成を示す配管系統図である。
【図３】加湿エレメントの構成を分解して示す斜視図である。
【図４】報知装置の構成を示す機能ブロック図である。
【発明を実施するための形態】
【００２２】
以下、本発明の実施形態を図面に基づいて説明する。なお、以下の好ましい実施形態の説明は、本質的に例示に過ぎず、本発明、その適用物或いはその用途を制限することを意図するものではない。
【００２３】
図１は、本発明の実施形態に係る空気調和装置の構成を示す側面図である。図１に示すように、空気調和装置（10）は、室内空間の天井部分に埋設される天井埋込式の空気調和装置であり、室外空気を吸引して室内空間へ供給する。
【００２４】
空気調和装置（10）は、やや扁平な直方体状のケーシング（11）を備えている。ケーシング（11）の内部には、空気通路（12）が形成されている。ケーシング（11）における空気流通方向の上流側には、吸引口（13）が開口している。吸引口（13）には、室外ダクト（17）が接続されて室外空間と連通している。室外ダクト（17）内には、エアフィルタ（18）が設けられて室外空気中の塵埃が捕集される。ケーシング（11）における空気流通方向の下流側には、給気口（14）が開口している。給気口（14）には、室内ダクト（19）が接続されて室内空間と連通している。
【００２５】
ケーシング（11）の内部には、空気流通方向の上流側から順に、送風ファン（21）、室内熱交換器（23）、及び加湿器（30）が配置されている。ケーシング（11）の外部には、電装品箱（15）が取り付けられている。電装品箱（15）内には、送風ファン（21）、加湿器（30）、及び室内熱交換器（23）の運転制御を行う制御部（16）が配置されている。
【００２６】
室内熱交換器（23）及び加湿器（30）の下方には、ドレンパン（28）が設けられている。送風ファン（21）は、吸引口（13）の近傍に配置されている。送風ファン（21）は、吸引口（13）より室外空気を吸引して空気通路（12）へ流通させる。
【００２７】
室内熱交換器（23）は、冷媒を循環させて冷凍サイクルを行う冷媒回路（20）（図２参照）に接続されており、蒸発器又は凝縮器として機能する。そして、室内熱交換器（23）では、冷媒と空気とを熱交換させる。
【００２８】
図２に示すように、冷媒回路（20）は、圧縮機（22）、室内熱交換器（23）、膨張弁（24）、及び室外熱交換器（25）が接続された閉回路で構成されている。冷媒回路（20）は、閉回路内を冷媒が循環することにより冷凍サイクルを行う。
【００２９】
冷媒回路（20）において、室外側に位置する圧縮機（22）の吐出口は、四路切換弁（26）の第１ポートと接続されている。また、四路切換弁（26）の第２ポートは、室内側に位置する室内熱交換器（23）の一端と接続されている。室内熱交換器（23）の他端は、膨張弁（24）の一端と接続されている。膨張弁（24）の他端は、室外熱交換器（25）の一端と接続されている。室外熱交換器（25）の他端は、四路切換弁（26）の第３ポートと接続されている。また、四路切換弁（26）の第４ポートは、圧縮機（22）の吸入口と接続されている。
【００３０】
ここで、四路切換弁（26）は、図２において実線で示す方向と、破線で示す方向に切換可能に構成されている。そして、四路切換弁（26）が実線で示す方向に切り換えられると、第１ポートと第２ポートが連通し、第３ポートと第４ポートとが連通する。一方、四路切換弁（26）が破線で示す方向に切り換えられると、第１ポートと第３ポートが連通し、第２ポートと第４ポートとが連通する。
【００３１】
図１に示すように、加湿器（30）は、給気口（14）の近傍に配置されている。加湿器（30）は、透湿性材料で構成された透湿膜（32）を有する加湿エレメント（31）と、加湿エレメント（31）の外周縁部を保持する枠体（39）と、加湿エレメント（31）の透湿膜（32）へ水を供給する給水装置（40）とを備えている。
【００３２】
図３に示すように、加湿エレメント（31）は、複数の透湿部材（33）と、透湿部材（33）を支持するユニット枠体（34）とを備えている。ユニット枠体（34）は、空気流通方向の上流側から下流側にかけて開放された箱形に形成されている。
【００３３】
ユニット枠体（34）の側壁板（図３で右側）の内側面には、複数のリブ（35）が設けられている。リブ（35）は、ユニット枠体（34）の側壁板の幅方向の一端から他端にかけて水平に延びている。そして、このリブ（35）は、ユニット枠体（34）の側壁板の上端から下端にかけて複数配列されている。また、ユニット枠体（34）の側壁板の下端部には、給水装置（40）の給水配管（42）と接続される給水口（34a）が設けられている。また、ユニット枠体（34）の側壁板の内側面には、直方体状の角孔（36a）が形成されている。そして、角孔（36a）の内部と給水口（34a）とが連通通路（34b）を介して連通している。
【００３４】
透湿部材（33）は、平板状に形成されており、その板厚方向の両面に透湿膜（32）が貼着されている。透湿部材（33）の板厚方向の片面には、複数のリブ（35）が設けられている。リブ（35）は、透湿部材（33）の幅方向の一端から他端にかけて水平に延びている。そして、このリブ（35）は、透湿部材（33）の上端から下端にかけて複数配列されている。また、透湿部材（33）の下端部には、直方体状の角孔（36a）が板厚方向に貫通形成されている。
【００３５】
複数の透湿部材（33）は、互いに板厚方向に並んで配設されている。これにより、複数のリブ（35）の隙間は、透湿部材（33）の幅方向の一端から他端にかけて空気の流通が可能な加湿通路（37）を構成している。また、ユニット枠体（34）の側壁板の角孔（36a）と透湿部材（33）の角孔（36a）が連通することで、ヘッダ（36）が形成されている。
【００３６】
また、透湿部材（33）には、角孔（36a）より上方に向かって図示しない透湿膜通路が形成されている。この透湿膜通路は、透湿部材（33）の上端まで全体に拡がって形成されている。
【００３７】
給水装置（40）は、給水タンク（41）と、給水配管（42）とを備えている。給水タンク（41）は、加湿エレメント（31）の透湿膜（32）へ供給する水を貯留するためのものであり、加湿エレメント（31）の上端よりも高い水位で水を貯留できるように、枠体（39）の上部側に配設されている。給水タンク（41）内には、水位を検知するフロートスイッチ（図示省略）が設けられている。
【００３８】
給水配管（42）は、 給水タンク（41）内の水を加湿エレメント（31）に供給するためのものであり、一端が給水タンク（41）の下部に接続される一方、他端がユニット枠体（34）の給水口（34a）に接続されている。
【００３９】
加湿エレメント（31）の下流側には、加湿エレメント（31）から水滴が飛散するのを防止するためのエリミネータ（45）が設けられている。エリミネータ（45）は、上下方向に延びる板状体で形成されている。
【００４０】
加湿器（30）の下流側には、加湿エレメント（31）の表面に沿って複数の検出センサ（50）が配設されている。図１に示す例では、複数の検出センサ（50）は、加湿エレメント（31）の表面に沿って上下方向に並ぶように配設されている。ここで、検出センサ（50）は、加湿器（30）を通過した空気の温度を検出する温度センサである。複数の検出センサ（50）でそれぞれ検出された検出値は、制御部（16）に送信される。
【００４１】
制御部（16）は、複数の検出センサ（50）でそれぞれ検出された検出値の平均検出値を算出する。そして、制御部（16）は、この平均検出値に基づいて、室内熱交換器（23）の熱交換能力を制御する。また、詳しくは後述するが、制御部（16）は、複数の検出センサ（50）でそれぞれ検出された検出値に基づいて、加湿器（30）の透湿部材（33）の透湿能力が劣化していることを示す異常信号を出力する。
【００４２】
加湿器（30）を通過した空気は、室内ダクト（19）を通って室内空間に供給される。室内ダクト（19）内は、加湿器（30）を通過した空気を混ぜ合わせて調和空気を生成するためのミキシング領域を構成している。室内ダクト（19）の吹出口近傍には、調和空気の温度を検出する温度センサ（52）が設けられている。
【００４３】
また、図４に示すように、空気調和装置（10）は、ユーザーに対して所定の報知動作を行う報知手段としての報知装置（55）を備えている。報知装置（55）は、例えば、アラーム（55a）、シグナル（55b）、モニタ（55c）等を備えている。そして、報知装置（55）は、制御部（16）から異常信号が出力されると、アラーム（55a）を鳴らしたり、シグナル（55b）を点灯させたり、透湿能力が劣化したことを示すメッセージをモニタ（55c）に表示することにより、ユーザーに対して透湿能力の劣化を報知する。
【００４４】
−運転動作−
次に、本実施形態に係る空気調和装置（10）の運転動作について、図１及び図２を参照しながら説明する。ここでは、暖房加湿運転について説明する。
【００４５】
暖房加湿運転では、冷媒回路（20）の四路切換弁（26）が図２の実線で示す方向に切り換えられ、冷媒回路（20）内の冷媒は、圧縮機（22）、室内熱交換器（23）、膨張弁（24）、室外熱交換器（25）の順に循環して冷凍サイクルを行う。そして、室内熱交換器（23）が凝縮器として機能する一方、室外熱交換器（25）が蒸発器として機能する。
【００４６】
送風ファン（21）が起動すると、室外空気は、室外ダクト（17）を介して吸引口（13）よりケーシング（11）内へ導入される。吸引口（13）より導入された空気は、空気通路（12）を流通して、室内熱交換器（23）を通過する。この際、空気は、室内熱交換器（23）で冷媒の凝縮熱を吸熱して加温される。室内熱交換器（23）によって加温された空気は、空気通路（12）を流通して、加湿器（30）へ導入される。
【００４７】
加湿器（30）へ導入された空気は、加湿エレメント（31）の加湿通路（37）へ流入して、透湿部材（33）の透湿膜（32）近傍を流通する。
【００４８】
加湿運転時においては、透湿膜（32）へ水を供給する給水運転が実行されている。この給水運転では、給水タンク（41）内の水位がフロートスイッチの上限水位を検知するまで給水される。そして、給水タンク（41）内の水位がフロートスイッチの上限水位に達すると、給水が停止する。
【００４９】
ここで、給水タンク（41）内に貯留された水は、加湿エレメント（31）内の水との水位差によって、給水配管（42）へ流入する。給水配管（42）を流通した供給水は、図３に示すユニット枠体（34）の側壁板の給水口（34a）より連通通路（34b）、ヘッダ（36）を介して図示しない透湿膜通路へ流入する。透湿膜通路に流通した水は、室内熱交換器（23）によって加温された空気によって蒸発する。
【００５０】
加湿通路（37）を流通した空気には、蒸発した水分が付与されて加湿される。そして、加湿された空気は、エリミネータ（45）を通過した後に、給気口（14）から室内ダクト（19）へ流出する。室内ダクト（19）では、加湿器（30）を通過した空気が混ぜ合わされて調和空気が生成され、調和空気が室内空間へ供給される。
【００５１】
−調和空気の吹き出し温度の制御−
次に、調和空気の吹き出し温度を制御する手順について説明する。図１に示すように、加湿器（30）を通過した空気の温度は、加湿器（30）の下流側で且つ加湿エレメント（31）の表面に沿って配設された複数の検出センサ（50）によってそれぞれ検出される。
【００５２】
ここで、複数の検出センサ（50）の検出値は、透湿部材（33）の透湿能力の部分的な劣化に起因して、それぞれ異なる値が検出されることとなる。具体的に、本実施形態の加湿器（30）では、透湿部材（33）の下部側から給水して水を吸い上げて透過させているので、水分中の硬質成分が濃縮された残留物であるスケールが透湿部材（33）の下部側に比べて上部側に多く発生してしまう。そのため、透湿部材（33）の下部側に比べて上部側の方が、高い温度値が検出される。これは、透湿部材（33）の上部側でスケールが発生すると、上部側を通過する空気が気化熱によって十分に冷却されないためである。
【００５３】
そこで、本実施形態では、複数の検出センサ（50）でそれぞれ検出された検出値を制御部（16）に送信して、制御部（16）において、各検出値の平均検出値を算出するようにしている。そして、この平均検出値に基づいて、室内熱交換器（23）の熱交換能力を制御している。
【００５４】
具体的には、平均検出値が設定温度よりも高い場合には、冷媒回路（20）の膨張弁（24）の開度を小さくしたり、圧縮機（22）の運転周波数を低くすることで、冷媒循環量を少なくして、室内熱交換器（23）の熱交換能力を低下させる制御を行う。一方、平均検出値が設定温度よりも低い場合には、冷媒回路（20）の膨張弁（24）の開度を大きくしたり、圧縮機（22）の運転周波数を高くすることで、冷媒循環量を多くして、室内熱交換器（23）の熱交換能力を増加させる制御を行う。
【００５５】
−透湿部材の透湿能力の劣化判定−
次に、加湿器（30）における透湿部材（33）の透湿能力が劣化しているかを判定する手順について説明する。図４に示すように、本実施形態では、複数の検出センサ（50）でそれぞれ検出された検出値を制御部（16）に送信して、制御部（16）において、最も高い検出値と最も低い検出値とを比較してその差分値を算出している。そして、この差分値を所定の基準値と比較して、差分値が所定の基準値よりも大きい場合に、透湿部材（33）の透湿能力が劣化していると判定する。
【００５６】
具体的に、本実施形態の加湿器（30）では、透湿部材（33）の下部側に比べて上部側にスケールが多く発生してしまうため、透湿部材（33）の下部側では低い温度値が、上部側では高い温度値がそれぞれ検出される。このように、複数の検出センサ（50）でそれぞれ検出された検出値のばらつきが所定の基準値よりも大きくなった場合に、透湿部材（33）の透湿能力が劣化していると判定する。
【００５７】
透湿部材（33）の透湿能力が劣化していると判定されると、制御部（16）から報知装置（55）に対して、透湿能力の劣化を示す異常信号が出力される。
【００５８】
報知装置（55）では、ユーザーに対して所定の報知動作を行う。例えば、アラーム（55a）を鳴らしたり、シグナル（55b）を点灯させたり、透湿能力が劣化したことを示すメッセージをモニタ（55c）に表示することにより、ユーザーに対して報知する。これにより、ユーザーは、透湿部材（33）の交換時期を適切に把握することができ、メンテナンス作業を行いやすくなる。
【００５９】
−実施形態の効果−
本実施形態に係る空気調和装置（10）によれば、透湿部材（33）よりも下流側で且つ透湿部材（33）の表面に沿って複数の検出センサ（50）を配設するようにしたから、複数の検出センサ（50）でそれぞれ検出された検出値から平均検出値を算出して、この平均検出値に基づいて室内熱交換器（23）の熱交換能力を制御することができる。これにより、透湿部材（33）の透湿能力が部分的に劣化した場合でも、調和空気の吹き出し温度が設定温度となるように制御することができる。
【００６０】
《その他の実施形態》
前記実施形態については、以下のような構成としてもよい。
【００６１】
前記実施形態では、複数の検出センサ（50）を温度センサで構成することで、加湿器（30）を通過した空気の温度を検出する形態について説明したが、この形態に限定するものではない。例えば、複数の検出センサ（50）を湿度センサで構成することで、加湿器（30）を通過した空気の湿度を検出するようにしてもよい。この場合には、透湿部材（33）の下部側では高い湿度値が検出される一方、上部側ではスケールの発生により空気に水分が十分に付与されないために低い湿度値が検出されることとなる。
【産業上の利用可能性】
【００６２】
以上説明したように、本発明は、透湿部材の透湿能力が部分的に劣化した場合でも、調和空気の吹き出し温度を制御できるという実用性の高い効果が得られることから、きわめて有用で産業上の利用可能性は高い。
【符号の説明】
【００６３】
10    空気調和装置
11    ケーシング
12    空気通路
16    制御部
20    冷媒回路
23    室内熱交換器
30    加湿器
32    透湿膜
33    透湿部材
37    加湿通路
40    給水装置（給水手段）
50    検出センサ
55    報知装置（報知手段）
【図１】
2013194946.tif 000003
【図２】
2013194946.tif 000004
【図３】
2013194946.tif 000005
【図４】
2013194946.tif 000006